(57)【要約】【課題】出力周波数を入力周波数に対して非整数関係にする。【解決手段】ディジタル分解能変換の方法と装置を説明した。入力周波数と所望の出力周波数を受取る。所望の出力周波数を直接的に測定し、入力周波数と比較する。その後、入力周波数の変動を補償するために、出力周波数を調節する。これは、必要に応じて、入力及び出力周波数の間の任意の関係を用いて行うことができる。システムが実行ループ（５４）を設定し、ループのカウントが予定の閾値に達すると、調節された出力周波数が作動信号としてシステムに送られる。その後、システムがカウンタをゼロにリセットし、ループの実行を再び開始する。入力周波数を受取れなくなるまで、システムはこのサイクルを続ける。【選択図】図２
2008182751.tif 000002
【特許請求の範囲】
【請求項１】
入力周波数を有する入力信号を該入力信号のパルスとして発生するループ・サイクル中に該入力周波数の整数倍または非整数倍の出力周波数を有する調節された出力信号に変換するディジタル分解能変換機であって、
入力周波数を有する前記入力信号を受信する入力部と、
入力周波数を有する前記入力信号を受信するコンプレックス・プログラマブル・ロジック・デバイスであって、出力周波数を有する前記調節された出力信号の連続するパルス間のサイクルのカウント値を与える回路を有する前記コンプレックス・プログラマブル・ロジック・デバイスと、
（ｉ） 前記入力信号の連続するパルス間で発生する前記調節された出力信号の連続パルスの整数カウント値、および
（ｉｉ） 先行のループ・サイクルで決定された補償されたサイクルの公称数で除算された前記サイクルのカウント値に応答して決定された前記調節された出力信号の期間の端数部分、
に基づいて、入力周波数を有する前記入力信号を出力周波数を有する前記調節された出力信号に１ループ・サイクル中に変換するソフトウエアに応答して動作し得る前記コンプレックス・プログラマブル・ロジック・デバイスと連絡されたディジタル信号プロセッサと、
出力周波数を有する前記調節された出力信号を受け取って動作することができるようにした作像回路への出力部と、
を有するディジタル分解能変換器。
【発明の詳細な説明】
【技術分野】
【０００１】
この発明は位置に基づく標本化装置、更に具体的に言えば、一定分解能の変換器を有し、変換器から得られる分解能からの非整数の修正を必要とする標本化装置に関する。
【背景技術】
【０００２】
位置に基づく標本化は、プリンタ及びその他の作像装置のような広い範囲のシステムに用いることができる技術である。プリンタでは、露光又は画像は、画像データが受光ドラムに入れられ、最終的には一枚の紙又はフィルムに入れられた結果である。夜間視覚装置のような作像装置は、典型的には、赤外線エネルギーを検出器に対して位置決めするスキャナを用い、この赤外線エネルギーが電子処理によって可視像に変換される。何れの場合も、（プリンタの場合の）受光体並びに（走査型作像装置の場合の）検出器が画像データの増分的な部分を標本化する位置の精度が、画像の精度を決定する。
【０００３】
こういう形式のシステムが、所望の結果を達成するために、時間に基づく又は位置に基づく方式を用いることもできる。時間に基づく装置は、作像の間、受光ドラムの速度及びスキャナの速度が一定であると仮定している。位置に基づく装置は、受光ドラム及びスキャナの速度が一定ではなく、変化する摩擦、疲労及び速度制御の不正確さの関数として変化すると想定している。
【０００４】
位置に基づく方式は、速度異常があれば分かるから、これは典型的には時間に基づく装置よりも精度が良い。位置に基づく方式は、いつ標本化するかを作像装置に知らせる機械的な位置情報を供給するのに変換器を使うことに頼っている。光学式符号器のようなディジタル出力を持つ機械的な変換器をこういう用途で使うことができるが、それらは分解能が一定であって、その分解能が必ずしも所望のシステムの分解能と一致しない。従って、所望の作像装置の分解能を達成するためには、変換器と変換された出力との間の位相関係をそのままに保ちながら、ディジタル変換器の分解能をシステムで希望する分解能に変換する電子技術が必要である。
【０００５】
例えば、画像データは印刷システムで６００ドット／吋で標本化することが要求されることがある。しかし、受光体位置変換器情報は３００ドット／吋を発生することに制限されていることがある。この場合、位相固定ループを使って、受光体位置変換器データを所要の標本化分解能から２倍に電子的に高めることができる。位相固定ループは、この変換過程の間、位相の完全さをも保存し、高周波雑音をフィルタ作用で除く。
【０００６】
実際には、機械的な受光体の円周が１４．８４２１７吋で、光学式符号器の分解能が１回転あたり４０９６パルスであるために、受光体位置情報は実効的な分解能が２７５．９７０４ドット／吋であることがある。この場合、受光体位置情報と６００ドット／吋という所望のサンプル分解能との間には２．１７４１５の非整数関係が存在する。位相固定ループはＶＣＯクロック出力及び入力データの割り算が整数の場合に限られるので、これはハードウェアに使われるカウンタ／除算器の規模によって制限され、そのため、到来する変換器データと出の画像データの標本化速度の間に任意の非整数関係又は分数関係を直接的に作り出すことができない。従来の方式は、倍率が非整数であるというこの問題を取上げていなかった。
【０００７】
従って、入力及び出力の間の位相の完全さを保存すると共に、入力に存在する高周波雑音をフィルタ作用で除きながら、入力の分解能と所望の出力の分解能の間に更に精密な関係が得られるようにする非整数変換方式をもたらす解決策が必要である。
【発明の開示】
【課題を解決するための手段】
【０００８】
この発明の一面では、位置が同期していて、所定の入力周波数に対してフィルタ作用にかけられた特定の出力周波数を発生する。出力周波数は、特定の構成の標本化の制約の範囲内で、事実上入力周波数に対して任意の非整数関係にすることができる。この発明は全ディジタル型閉ループ装置を用い、これによって特定の出力周波数を直接的に測定して、フィードバックに用いる。閉ループの構成を用いると共に、出力信号の変化を直接的に測定することにより、出力は入力を正確に追跡し、量子化誤差が最小限になる。
【０００９】
この発明の別の一面では、ループ誤差に対する擾乱を極く小さくしてリセット／再開ができるようにし、任意の所定のリセット点から出力及び入力の間に再現性のある位相関係が得られる。
【００１０】
この発明の実施例は、プリンタの用途では、位置に基づく閃光型空間光変調器を構成できると共に、広い範囲のこの他の多数の空間光変調器に基づく装置及び多数のこれとは無関係な構成で特徴となり得る。
【００１１】
この発明の利点は、入力指令と所望の出力周波数の間に整数関係を必要としないことである。
【００１２】
この発明の利点は、所望の非整数の出力周波数を直接的にフィードバックとして使い、その結果、量子化誤差が一層小さくなり、入力のダイナミックな追跡がすぐれていると共に最適になることである。
【００１３】
この発明の利点は、入力と出力との間の関係を、システム標本化の制約の範囲内で容易に変えることができることである。
【００１４】
この発明の別の利点は、入力と所望の出力との間に更に精密な静的な関係が得られることである。
【００１５】
この発明の別の目的は選択可能な帯域幅を持つことである。
この発明並びにその他の利点が更によく理解されるように、次に図面を参照しての次の詳しい説明を参照されたい。
【実施例】
【００１６】
前に述べたように、位相固定ループ（ＰＬＬ）の設計の制約により、入力及び出力波形の間に任意の関係がとれない。このような従来のＰＬＬの一例が図１に示されている。
【００１７】
この従来例のＰＬＬは印刷システムに使うことができる。しかし、以下の説明から分かるように、これはこの発明の何れかの実施例の用途が印刷システムに制限されることを意味するものではない。ＰＬＬが位相検出器１２に入力指令を受取る。この例では、入力指令が、印刷システム内の光学式受光体（ＯＰＣ）の位置を表す信号である。こういう受光面は典型的にはドラム又はベルトである。
【００１８】
位相検出器１２はハードウェア・カウンタ１４からのフィードバック信号をも受取る。ハードウェア・カウンタ１４がループの順方向通路の出力を整数Ｊで除算する。ＪがＯＰＣの分解能と出力の分解能との間の関係を表す。出力の分解能は、作像回路２２の分解能であり、これはＯＰＣに送られる光を制御することによって、ＯＰＣに潜像を形成する任意の回路であって良い。こういう回路の形式は、レーザ多角形スキャナ、空間光変調器及びＬＥＤアレイがある。
【００１９】
順方向ループ及びフィードバック・ループの間の差により、位相誤差が生ずるが、これが１６のところで順方向ループに加えられる補償によって調節される。この補償は、必要に応じて出力分解能を調節する電圧制御発振器（ＶＣＯ）１８によって実施されている。
【００２０】
分解能の調節でより細かな調節が必要な場合、別の除数Ｋのカウンタ２０を使うことができる。これにより、調節された分解能でＯＰＣに対する潜像の露出を制御する作像回路に信号が送られる前に、出力分解能のもう１つの整数の調節ができる。入力指令、ＶＣＯ指令及び２つの整数カウンタの間の関係が図１ｂに示されている。
【００２１】
前に述べたように、この構成のＰＬＬは、変換器からＯＰＣに供給される入力信号と出力画像標本化信号との間に任意の非整数関係をとることができない。整数だけの関係を使う結果、この装置は前に述べたように、必要とされるほどの精度がない。印刷システムが、厳しい分解能の条件を持つカラー印刷システムである時、特にそうである。
【００２２】
カラー印刷装置は典型的には２通りの内のどちらかで構成される。ＯＰＣからの潜像を転写する紙が紙通路を１回通過し、異なる４色のトナーを順番に受取る。あるいは、紙が紙通路を４回通過し、毎回１色のトナーを受取る。紙通路はドラム又はベルト装置であって良い。どちらの構成にしても、あるいは紙通路がこの他のどんな構成になっていても、最終的な画像の各々の画素に対する正しい位置で、正しい量の各色のトナーをデポジットしなければならない。
【００２３】
例えば、画像のある部分が、シアン及びマゼンタの組み合わせであることがある。画像のこの部分が紙に正しく写されるためには、紙の正確な場所に、正しい量のシアン及びマゼンタをデポジットしなければならない。もし一方の色が整合状態から外れていると、その部分は、色がずれた時のシアン又はマゼンタの何れかの縁を持っているように見えることがある。これは、色合せの不良又は不正確の結果である。
【００２４】
位置に基づく装置では、分解能が不良の変換は、ダイナミックにも静的にも整合外れの原因になることがある。ダイナミックの点では、分解能の不良の調節は、装置の出力が入力を正確に追跡して追従することができないことから生ずる。ＯＰＣは正確に予め設定された毎分回転数で回転しないから、変換器（これに限らないが、典型的には、装置の入力として作用する光学式符号器）が読取ったＯＰＣ速度の変動を装置の出力（ドラムに対する画像の露出の標本化周波数として作用する）が厳密に複製しなければならない。
【００２５】
例えば、装置は、ＯＰＣが３６００ｒｐｍで回転するように設計されていたとして、種々の機械的な部品による摩擦レベルのダイナミックな変動のため、ＯＰＣの速度は３５６４ｒｐｍから３６３６ｒｐｍまで変化することがある。装置が実際の速度及び設定された公称速度の間の差を追従することができなければ、その結果、各々の色平面（すなわち、シアン、マゼンタ、黒及び黄）に対する同じ画素が、ＯＰＣ上の（ぴったり合わさった場所ではなく）異なる場所で露出される。
【００２６】
４つの色平面の各々に対し、同じ画素が完全でない重ね合わせになると、色平面の整合外れが生ずる。静的に見ると、分解能の良くない変換は、所望の画素間隔を達成することができないような入力と出力との間の不正確な関係（すなわち装置の制約のために、所望の非整数関係の精度を達成することができないこと）によって生ずる。
【００２７】
この発明の１実施例のディジタル分解能変換器が図２に示されている。ハードウェア・ディジタル事象捕捉回路２４がＯＰＣ符号器から光学式符号器のような変換器を介して入力指令を受取り、ＯＰＣの各々の増分的な位置で立上りを生ずる。これは、出力波形の完全な１サイクルを表す所望の出力周波数をも受取り、高速ディジタル・カウンタを使って、入力波形に対する出力波形の端数サイクルを決定する。入力指令の各々の立上りに対し、第１のカウンタ２６のカウントをインクレメントし、ループ処理を実行する。
【００２８】
同時に、最後の実行時間以降に発生した所望の出力周波数の立上りの数を記録し、第２のカウンタ２８によって計数する。所望の出力周波数は入力指令周波数の非整数倍であることがあるから、入力指令の各々の立上りに基づいて、実行時間の間で計数された所望の出力の立上りの整数は、所望の出力の正確な周波数を真実に表すものではない。
【００２９】
各々の実行時間に、所望の出力周波数が正しく測定されるようにするためには、この測定は、最後の実行時間以降に発生した所望の出力の立上りの数の整数カウントと、次の周期の内、経過した部分を表す端数部分とを加えたものを含んでいなければならない。この端数部分が、実時間除算４８のところで計算され、こうして高速ディジタル・カウンタ４０の現在のカウントが、遅延装置３８で示すように、コードの前の実行の間に、ディジタル・カウンタ指令レジスタ４２に書き込まれた値によって除算される。
【００３０】
高速ディジタル・カウンタ４０の現在のカウントが、ハードウェアディジタル事象捕捉回路２４により、入力指令の各々の立上りに対して記録される。所望の出力の立上りと端数部分との加算が、入力指令の各々の立上りに対する各々の実行周期での所望の出力のフィードバックの測定値を表す。
【００３１】
従って、入力指令周波数の非整数倍であるフィードバック信号は２つの部分を持つ。第１の部分は、カウンタ２８によって計数された所望の出力周波数の整数部分である。第２の部分は端数部分である。数式としては、フィードバックは次の式によって表すことができる。
フィードバック＝所望の出力の整数カウント＋（高速ディジタル・カウント／
ディジタル・カウンタ指令レジスタ）
【００３２】
入力指令にＯＰＣ対作像回路の倍率（ＳＦ）３０を乗算する。この倍率は、整数又は非整数の値であって良い。例えば、倍率は、入力指令の各々の立上りに対する所望の出力が２．１７４個の立上りであって良い。このように倍率をかけた入力指令をこの後５２のところでフィードバックと比較し、ループ誤差が出る。仮に倍率が１とすると、入力指令の立上りの数に対する所望の出力の立上りの数は１の値に収斂し、ループ誤差が０である。
【００３３】
各々の実行サイクル（すなわち、入力指令の各々の立上り）に対してループ誤差を決定した後、それに補償３４を乗算して、５２のところで最終的にループ誤差を最小限にする。補償は比例‐積分（ＰＩ）である。これは、とりわけ、離散的な時間形式の双一次変換によって決定することができる。この発明はＰＩ型の構成に何ら制限されるものではなく、古典的な論理並びに／又はファジィ論理のような制御の点では、かなり変えることができる。この補償の出力が、次に、定数である、公称ディジタル・カウンタ指令レジスタ３６に記憶されている値に加算される。この定数の値が公称の所望の出力を表す。この定数は、高速ディジタル・カウンタ４０の周波数に（１／所望の出力）を乗算することによって計算される。これによって、装置は、特定の所望の出力対入力の関係で、既知の状態から反復的に始動することができる。
【００３４】
公称ディジタル・カウンタ指令レジスタ３６＋ＰＩ補償出力が高速ディジタル・カウンタ指令レジスタ４２に記憶される。これは、次のループ時間に対するフィードバックの端数部分を決定するために使われ、前に述べたように、線路遅延装置３８に記憶され、ハードウェア・ディジタル比較器４４で高速ディジタル・カウンタ４０のカウントと比較される。高速ディジタル・カウンタ４０のカウントが高速ディジタル・カウンタ指令レジスタ４２に記憶されている値と等しい時、作像回路４６に信号が送られて、変換された所望の出力に出力が発生される。
【００３５】
次のループの実行では、ハードウェアディジタル事象捕捉回路２４が新しい所望の出力を受取り、ループが再び実行される。作像回路４６に対して出力パルスが発生される時、高速ディジタル・カウンタ４０のカウントをゼロにセットし、直ちにカウントアップが開始される。
【００３６】
図２に示すように、タスク及びレジスタは、ソフトウェア又はハードウェアの何れかで実施されるものとして示されている。破線５４に示した全ての計算は、この例では、ソフトウェアで実施される。残りのレジスタ及び比較はハードウェアによって行われる。しかし、これは、どの作用がどこで実施されるかを制限するつもりはない。この過程全体をソフトウェア、ハードウェア又はその両者の異なった割当て方で実施することも考えられる。
【００３７】
リセット／再開の場合、入力指令及び所望の出力周波数に対し、ソフトウェアで保持されていたカウントをゼロにリセットする。更に、高速ディジタル・カウンタ４０に対するハードウェアのレジスタがリセットされ、高速ディジタル・カウンタ指令レジスタ４２に既知の値がロードされる。リセット／再開の特徴は、システム出力及びシステム入力の間に非整数関係を使う時、特に役立つ。リセット／再開により、その所定のリセット点から出力及び入力の間の再現性のある位相関係が得られる。
【００３８】
この発明の特定のハードウェアの構成が図３に示されており、これをインターフェース／事象回路カード（ＩＥＣＣ）と呼ぶ。このカードが、図２のボックス５４に示したソフトウェアの構成を実現するディジタル信号プロセッサ（ＤＳＰ）とインターフェース接続される。２つの一方向通信ポートを使う。第１のポート５６はＤＳＰからＩＥＣＣへ連絡するためのもので、第２のポート５８はＩＥＣＣからＤＳＰへ連絡するためのものである。ＯＰＣのドラム又はベルトに取付けられたＯＰＣ符号器６０からの入力が、複素数でプログラム可能な論理装置６２に直接的に入力される。論理装置６２が作像回路クロックを出力し、このクロックはＲＳ‐４２２駆動器６４でバッファ作用を受けてから、作像回路に送られる。論理装置６２のある構成では、動作の前にその構成を定めることが要求される。そういうことが必要な場合、構成データがプログラム可能な固定メモリ６８からロードされる。先入れ先出しバッファ６６が、ＯＰＣ符号器信号の記録されている変化並びに論理装置６２内の内部信号を記憶する。
【００３９】
論理装置６４の機能的なブロック図が図４に示されている。図面に示していないが、図２のソフトウェアの作用を実施するＤＳＰは、その動作を制御するデータを論理装置６２のレジスタに書込むことができる。これは、図４の一方の一方向通信ポート７０を介して行われる。ハードウェア・ディジタル事象捕捉回路２４、高速ディジタル・カウンタ４０、高速ディジタル・カウンタ指令レジスタ４２及びハードウェア・ディジタル比較器４４を含めて、図２の他のハードウェア・レジスタが論理装置６２内に含まれている。この結果得られる信号が、この図には示してないが、図２から作像回路４６に送られる。
【００４０】
更に、論理装置からは、図３のＣ４０にある別の通信ポートを介してＤＳＰに出力を送ることができる。ハードウェア・ディジタル事象捕捉回路２４について更に詳しいことは、時間線図として図５に示されている。
【００４１】
ハードウェア・ディジタル事象捕捉回路はタイマーを持ち、このタイマーは、図５の事象記録線に示すように、ＤＳＰに対する割込み（ＩＮＴ）を発生する。ＯＰＣ符号器信号の立上りのような事象が起こると、図３及び４から記録が構成され、ＦＩＦＯ６６に記憶される。図６は、タイマーの３周期後のＦＩＦＯメモリの内容を示す。この記録は、事象を同定するキーワード、及び現在のタイマーの値で構成される。タイマーの値の他に、高速ディジタル・カウンタの残りカウントの値がＯＰＣ符号器の事象に含まれている。
【００４２】
図５の線図から分かるように、作像回路クロックは、特に図５のＯＰＣ符号器信号の２番目の立上りに示されているように、ＯＰＣ符号器信号に比べて、１周期の端数部分を持つことがある。フィードバックを計算し、装置の動作を調節して、追跡を最適にすると共に雑音を最小限にするのに使われる成分であるのは、この端数部分である。相次ぐ計算で使われるデータが、計算１及び計算２として図６に示されている。
【００４３】
上に述べた方式を使う利点はいくつかある。これは、周波数入力が決まった場合、特定の周波数出力に対する注文製の回路を必要としない。倍率を非整数にすることができるから、これは更に精度が良い。実際の周波数出力が回路によって直接的に測定され、装置はダイナミックな補正ができる。制御ループの出力は一層厳密に入力指令に追従し、更に有効に雑音を抑圧する。更に、この構成は全部ディジタルであり、精密な結果を得るために、ディジタル信号処理能力を活用する。この発明では、ループ誤差に対する擾乱を極く小さくして、リセット／再開ができる。リセット／再開の特徴は、システム出力とシステム入力の間に非整数関係を使う時、特に有用である。リセット／再開により、任意所定のリセット点から、出力と入力との間に再現性のある位相関係が得られる。
【００４４】
前に述べたように、この発明を印刷システムについて詳しく説明した。入力指令は、説明の便宜のため、ＯＰＣからくるものと仮定した。このような分解能変換器の用途は、他にもいくつか存在する。例えば、スキャナからの位置に基づく入力及び検出器に対する出力を持つ夜間視覚装置にこれを用いて、観察される画像の質を高めることができる。この発明は、光学式又は磁気符号器の分解能を変えるためにも使うことができる。更に、それに対して入力周波数を固定する必要がある様な所望の搬送波周波数がある電気通信では、この分解能変換器を使って、印刷システムで、入力周波数と出力周波数の間の変換をするのと同じように、入力周波数と所望の出力周波数の間の変換をすることができる。
【００４５】
この発明は更に精度が高いことにより、色の整合を一層良くすることができると共に、装置のダイナミックな調節ができる。この変換器を使うどんなシステムでも、その利点は、入力の変動を追跡するより高い精度と、その追跡をするために行われるダイナミックな調節が高められることである。
【００４６】
従って、これまでこの発明をディジタル分解能変換の方法と装置の特定の実施例について説明してきたが、このような特定の場合を引用したのは、特許請求の範囲に記載されたことを除いて、この発明の範囲を制約するものと介してはならない。
【００４７】
以上の説明に関し、さらに以下の項目を開示する。
（１）  入力波形を出力波形に変換する方法に於いて、入力波形を受取り、前記出力波形を直接的に測定し、前記入力波形及び前記測定された出力波形を比較し、前記入力波形の偏差を補正するように前記出力波形を調節し、前記調節された出力波形は前記入力周波数に対して一定位相の任意の非整数関係を持ち、システムの作動信号としてシステムに対して前記調節された出力波形を発生する工程を含む方法。
【００４８】
（２）  請求項１記載の方法に於いて、前記入力波形を符号器から受取る方法。
（３）  請求項２記載の方法に於いて、前記符号器が印刷システムの光学式受光体に取付けられている方法。
（４）  請求項２記載の方法に於いて、前記符号器が夜間視覚装置の検出器に取付けられている方法。
（５）  請求項１記載の方法に於いて、前記作動信号が作像回路に送られて画像を発生する方法。
（６）  前記作像回路がプリント・エンジンである方法。
（７）  請求項５記載の方法に於いて、前記作像回路が夜間視覚装置の出力である方法。
【００４９】
（８）  入力波形を出力波形に変換する方法に於いて、入力周波数を受取り、所望の出力周波数を受取って、前記所望の出力周波数のパルス毎に整数カウンタをインクレメントし、前記整数カウンタのカウントを端数部分に加算することによってフィードバック信号を計算し、前記端数部分は実質的に、高速ディジタル・カウンタのカウントを前のループ・サイクルからの補償済み公称出力で除したものに等しく、前記入力周波数に倍率をかけ、倍率をかけた入力周波数を前記フィードバック信号と比較してループ誤差値を見出し、前記ループ誤差値に補償を加えて補償済みループ誤差を作り、前記補償済みループ誤差を予定の公称出力に加算し、その値を現在の補償済み公称出力周波数として記憶し、前記高速ディジタル・カウンタのカウントが前記現在の補償済み公称出力周波数に等しくなるまで、上に述べた全ての工程を繰返し、作像回路に信号を送って、前記補償済み公称出力周波数で出力を発生し、前記高速ディジタル・カウンタのカウントをゼロにリセットし、次のループ・サイクルに使うために前記現在の補償済み公称出力周波数を記憶し、入力指令を受取らなくなるまで、上に述べた全ての工程を繰返す工程を含む方法。
【００５０】
（９）  請求項８記載の方法に於いて、前記入力波形を符号器から受取る方法。
（１０）  請求項９記載の方法に於いて、前記符号器が印刷システムの光学式受光体に取付けられている方法。
（１１）  請求項９記載の方法に於いて、前記符号器が夜間視覚装置の検出器に取付けられている方法。
（１２）  請求項８記載の方法に於いて、前記作動信号が作像回路に送られて画像を発生する方法。
（１３）  請求項１２記載の方法に於いて、前記作像回路がプリント・エンジンである方法。
（１４）  請求項１２記載の方法に於いて、前記作像回路が夜間視覚装置の出力である方法。
【００５１】
（１５）  入力周波数を発生する符号器と、前記入力周波数を受取る複素数でプログラム可能な論理装置と、前記複素数でプログラム可能な論理装置と連絡していて、前記複素数でプログラム可能な論理装置からの信号に基づいて、前記入力周波数を調節済み出力周波数に変換するように作用し得るディジタル信号プロセッサと、前記入力周波数及び前記複素数でプログラム可能な論理装置からの信号の変化を記憶するバッファと、作像回路が前記調節済み出力周波数を受取ることができるようにするように作用し得る作像回路に対する出力部とを有するディジタル分解能変換器。
【００５２】
（１６）  ディジタル分解能変換の方法と装置を説明した。入力周波数と所望の出力周波数を受取る。所望の出力周波数を直接的に測定し、入力周波数と比較する。その後、入力周波数の変動を補償するために、出力周波数を調節する。これは、必要に応じて、入力及び出力周波数の間の任意の関係を用いて行うことができる。システムが実行ループ（５４）を設定し、ループのカウントが予定の閾値に達すると、調節された出力周波数が作動信号としてシステムに送られる。その後、システムがカウンタをゼロにリセットし、ループの実行を再び開始する。入力周波数を受取れなくなるまで、システムはこのサイクルを続ける。
【図面の簡単な説明】
【００５３】
【図１】従来の位相固定ループのブロック図並びにその時間線図。
【図２】１実施例のディジタル分解能変換器のブロック図。
【図３】１実施例のインターフェース事象回路カードの回路図。
【図４】インターフェース事象捕捉過程のブロック図。
【図５】事象捕捉の時間線図。
【図６】先入れ先出しメモリにおける事象記録の例。
【符号の説明】
【００５４】
２４  ハードウェア・デジタル事象捕捉回路
４４  ハードウェア・デジタル比較器
５４  実行ループ（ソフトウェア構成）
【図１】
2008182751.tif 000003
【図２】
2008182751.tif 000004
【図３】
2008182751.tif 000005
【図４】
2008182751.tif 000006
【図５】
2008182751.tif 000007
【図６】
2008182751.tif 000008